(57)【特許請求の範囲】
【請求項１】
映像データを編集する編集装置において、
上記映像データが書き込まれるメモリーと、
上記メモリーから読み出されたデータを表示する表示手段と、
後のオンライン編集用のデータとして使われるデータであって、上記データが編集対象データにおける所望のイン点及びアウト点と共に記録されるエディットリストを生成するエディットリスト生成手段とを有し、
上記映像データを編集する際には、
上記映像データとともに上記メモリーに書き込まれ、
上記映像データに付与されたタイムコード及びカメラのセットアップデータを含む付加データを読み出して、
上記付加データを上記表示手段に表示しながら編集を実行し、
上記エディットリスト生成手段により上記イン点及びアウト点とともに上記付加データを上記エディットリストに記録することを特徴とする編集装置。
【請求項２】
映像データを編集する編集方法において、
上記映像データをメモリーに書き込む書き込みステップと、
上記メモリーから読み出されたデータを表示する表示ステップと、
後のオンライン編集用のデータとして使われるデータであって、上記データが編集対象データにおける所望のイン点及びアウト点と共に記録されるエディットリストを生成する生成ステップとを有し、
上記映像データを編集する際には、
上記映像データとともに上記書き込みステップで上記メモリーに書き込まれ、
上記映像データに付与されたタイムコード及びカメラのセットアップデータを含む付加データを読み出して、
上記表示ステップで上記付加データを表示しながら編集を実行し、
上記生成ステップで上記イン点及びアウト点とともに上記付加データを上記エディットリストに記録することを特徴とする編集方法。
【発明の詳細な説明】
【技術分野】
【０００１】
本発明は、例えば編集システム等に適用して好適な映像信号記録装置、編集方法及びそのシステムに関する。
【背景技術】
【０００２】
従来、放送局では、番組中で用いる映像及び音声として、カメラ一体型ＶＴＲを用いてビデオ・テープ・カセットに収録した映像及び音声を用いることが多い。そして、カメラ一体型ＶＴＲでビデオ・テープ・レコーダに収録された映像及び音声情報は、その全てが番組中で用いられることは少なく、大半は、編集処理によって、その一部が抽出されて用いられることが多い。カメラ一体型ＶＴＲによる映像及び音声情報のビデオ・テープ・カセットへの収録から、収録映像及び音声情報の編集までの処理手順は、例えば次に説明するようなものである。
【０００３】
取材中にカメラ一体型ＶＴＲを記録状態としておくことで、対象とする被写体の映像及び音声情報を、ビデオ・テープ・カセットに収録する。次に、当該ビデオ・テープ・カセットを、編集処理用のＶＴＲにセットし、編集機の操作キー群を操作することにより、ＶＴＲを再生状態にし、その再生映像及び音声情報をモニタし、そのときに、所望のイン点及びアウト点を編集機に対して指定する。これによって、編集機は、当該ビデオ・テープ・レコーダのリールＩＤデータ、イン点及びアウト点のタイムコードデータ等を、ＥＤＬ（エディット・リスト）データとして、フロッピー（登録商標）・ディスク等に記録する。以上がいわゆるオフライン編集である。
【０００４】
続いて、実際に放送する素材を、より細かく指定するためのオンライン編集が行われる。このときに必要なものは、オフライン編集時に作成されたエディットリストデータの記録されているフロッピー・ディスクと、素材の収録されているビデオ・テープ・カセットである。上記ビデオ・テープ・カセットをオンライン編集用のＶＴＲにセットし、上記フロッピー・ディスクを、オンライン編集用の編集機に接続されているフロッピー・ディスク・ドライブにセットする。
【０００５】
これによって、上記オンライン編集用の編集機は、セットされたフロッピー・ディスクからエディットリストデータを読み出し、読み出したエディットリストデータに基いて、セットされたビデオ・テープ・カセットに記録されている映像及び音声情報の内、エディットリストデータ上で指定されている範囲の映像及び音声情報を、順次再生する。オンライン編集を行う編集者は、再生映像及び音声情報をモニタしながら、より細かいイン点及びアウト点の設定処理を行う他、エディットリストデータに基いて再生される再生映像及び音声情報を、送出用のＶＴＲにセットされたビデオ・テープ・カセットに収録する処理を行う。勿論、素材の収録されたビデオ・テープ・カセットが、カセットオートチェンジャーにセットされ、エディットリストデータに基いて、予め設定された放送時刻にそのまま再生され、送出されることも有り得る。
【発明の開示】
【発明が解決しようとする課題】
【０００６】
ところで、以上説明したような、編集処理において問題となるのは、記録媒体がビデオ・テープ・カセットであるから、オフ若しくはオンライン編集時における、イン点やアウト点を決定する際の早送りや巻き戻し等の処理による、編集効率の低下である。ビデオ・テープ・カセットは、テープ状記録媒体であるから、例えばイン点を決定するために、素材の収録されたビデオ・テープ・カセットの磁気テープ上の位置を、先頭の位置にしたり、或いは、どこから使用するのかを決定するために、先頭の位置から長い時間をかけて再生したりする必要があり、編集処理において最も時間が費やされるのは、編集内容そのものより、むしろ、テープ状記録媒体の位置を所望の位置とするためのテープ状記録媒体の走行時間といっても過言ではない。
【０００７】
本発明はこのような点を考慮してなされたもので、編集効率を大幅に向上させることのできる映像信号記録装置、編集方法及びそのシステムを提案しようとするものである。
【課題を解決するための手段】
【０００８】
本発明の編集装置は、映像データを編集する編集装置において、上記映像データが書き込まれるメモリーと、上記メモリーから読み出されたデータを表示する表示手段と、後のオンライン編集用のデータとして使われるデータであって、上記データが編集対象データにおける所望のイン点及びアウト点と共に記録されるエディットリストを生成するエディットリスト生成手段とを有し、上記映像データを編集する際には、上記映像データとともに上記メモリーに書き込まれ、上記映像データに付与されたタイムコード及びカメラのセットアップデータを含む付加データを読み出して、上記付加データを上記表示手段に表示しながら編集を実行し、上記エディットリスト生成手段により上記イン点及びアウト点とともに上記付加データを上記エディットリストに記録するものである。
また、本発明の編集方法は、映像データを編集する編集方法において、上記映像データをメモリーに書き込む書き込みステップと、上記メモリーから読み出されたデータを表示する表示ステップと、後のオンライン編集用のデータとして使われるデータであって、上記データが編集対象データにおける所望のイン点及びアウト点と共に記録されるエディットリストを生成する生成ステップとを有し、上記映像データを編集する際には、上記映像データとともに上記書き込みステップで上記メモリーに書き込まれ、上記映像データに付与されたタイムコード及びカメラのセットアップデータを含む付加データを読み出して、上記表示ステップで上記付加データを表示しながら編集を実行し、上記生成ステップで上記イン点及びアウト点とともに上記付加データを上記エディットリストに記録するものである。
【発明の効果】
【０００９】
上述せる本発明によれば、カメラ一体型記録装置において、テープ状記録媒体に撮像映像信号がそのまま記録されると共に、第１の記録媒体に、圧縮撮像映像信号が記録される。次に、第１の編集装置において、上記テープ状記録媒体の識別情報が、記憶手段に保持されると共に、上記第１の記録媒体上における編集点が指定されると、当該編集点の時間情報が上記記憶手段に保持され、編集処理が終了すると、上記記憶手段に記憶されている編集リストが、ファイルデータとして、上記第２の非テープ状記録媒体に記録される。次に、上記第２の非テープ状記録媒体から読み出された編集リストに基いて、上記テープ状記録媒体から、指定された映像信号が再生される。従って、第１の編集装置における編集点の指定の処理を高速に行うことができ、よって、編集処理の効率を大幅に向上させることができるという効果がある。また、付加データが、上記第１の非テープ状記録媒体に記録され、上記第２の編集装置において当該付加データが、第２の表示手段に表示される。従って、第１及び第２の編集装置における編集点とすべき位置のサーチ等を高速に行うことができ、よって、編集処理の効率を大幅に向上させることができるという効果がある。
【発明を実施するための最良の形態】
【００１０】
以下に、図１〜図１１を順次参照して本発明映像信号記録装置、編集方法及びそのシステムの実施の形態について詳細に説明する。
本発明映像信号記録装置、編集方法及びそのシステムの実施の形態の説明は、次に示す項目説明を各項目の先頭に記載し、各項目について次に示す順序で説明する。
【００１１】
＊発明の概要Ａ．本発明の概要説明（図１）
＊実施の形態Ｂ．カメラ一体型ＶＴＲの構成及びその動作説明（図２）
Ｃ．カメラ一体型ＶＴＲの制御動作の説明（図３）
Ｄ．オフライン用の編集システムの構成及びその動作説明（図４）
Ｅ．オフライン編集処理における動作の説明（図５〜図８）
Ｆ．オンライン用の編集システムの構成及びその動作説明（図９）
Ｇ．オンライン編集処理における動作の説明（図１０及び図１１）
【００１２】
［発明の概要］
【００１３】
Ａ．本発明の概要説明（図１）
【００１４】
図１は、本発明映像信号記録装置、編集方法及びそのシステムの概要を説明するための説明図であり、図１Ａは、カメラ一体型記録装置の構成図、図１Ｂは、第１の編集システムの構成図、図１Ｃは、第２の編集システムの構成図である。
【００１５】
図１Ａに示すカメラ一体型ＶＴＲ３００は、カメラ部１００と、第１の記録部１５０と、信号処理部２００と、第２の記録部２５０と、付加的なデータを付加するための情報付加部１４０と、上記各部を制御する制御部１２０とからなる。第１の記録部１５０は、カメラ部１００からの映像及び音声信号をそのままテープ状記録媒体１６０に記録するものである。また、第２の記録部２５０は、カメラ部１００からの映像及び音声信号が、信号処理部２００で圧縮されたものを、非テープ状記録媒体２６０に記録するものである。ここで、非テープ状記録媒体２６０は、テープ状記録媒体よりもアクセス速度を大幅に向上させることのできるものであり、例えばディスク状記録媒体である。
【００１６】
図１Ｂに示す第１の編集システム４００は、いわゆるオフライン用の編集システムであり、編集機３５０からなる。この編集機３５０は、図１Ａに示したカメラ一体型ＶＴＲ３００で映像及び音声信号の収録された非テープ状記録媒体２６０を再生し、その再生映像及び音声をモニタしながら、図示しない操作部の操作により、イン点及びアウト点を指定し、編集リストを作成するものである。作成された編集リストデータは、非テープ状記録媒体３８０に記録される。
【００１７】
図１Ｃに示す第２の編集システム５５０は、いわゆるオンライン編集用の編集システムであり、編集機４５０及びこの編集機４５０によって制御される再生装置５００からなる。この第２の編集システム５５０は、非テープ状記録媒体３８０に記録されている、第１の編集システムで作成された編集の内容に基いて、再生装置５００を制御して、図１Ａに示したカメラ一体型ＶＴＲ３００で映像及び音声信号の収録されたテープ状記録媒体１６０を再生するものである。ここでは、破線の矢印で示す「送出」の場合を想定しているので、再生装置５００が用いられている場合について示しているが、記録媒体６００に、ダビングする場合には、再生装置５００は、記録装置となる。
【００１８】
つまり、本発明では、図１に示すように、カメラ一体型ＶＴＲ３００で収録を行う際に、カメラ部１００からの映像及び音声信号を、第１の記録部１５０により、圧縮することなくそのままテープ状記録媒体１６０に記録すると共に、カメラ部１００からの映像及び音声信号を、信号処理部２００により圧縮し、第２の記録部２５０により非テープ状記録媒体２６０に記録する。そして、オフライン編集の際は、第１の編集システム４００により、非テープ状記録媒体３８０に記録されている圧縮映像及び音声信号をモニタしながらイン点やアウト点等の編集ポイントを決定して編集リストデータを生成し、この編集リストデータを、非テープ状記録媒体３８０に記録する。そして、オンライン編集の際は、テープ状記録媒体１６０を再生装置５００にセットし、非テープ状記録媒体３８０を、編集機４５０にセットし、非テープ状記録媒体３８０に記録されている編集リストデータに基いて、第２の編集システム５５０により、再生装置５００を制御し、編集リストデータに基いた素材を出力するようにしている。
【００１９】
また、本発明においては、更に、カメラ一体型ＶＴＲ３００で、付加情報をも記録できるようにする。この付加情報としては、例えば撮影者の情報、位置情報等である。これらの情報は、第１の記録部１５０により、テープ状記録媒体１６０に記録すると共に、第２の記録部２５０により、非テープ状記録媒体２６０に記録するようにする。そして、第１の編集システム４００において、オフライン編集を行う際や、第２の編集システム５５０において、オンライン編集を行う場合に、上記付加情報を表示し、編集ポイントを、より見つけ易くするためのインデックスとして用いるようにする。
【００２０】
〔概要説明から導き出される効果〕
よって、圧縮された映像及び音声信号の記録されている非テープ状記録媒体２６０を用いてオフライン編集を行え、その際に生成した編集リストデータに基いて、テープ状記録媒体１６０に収録されている素材を再生することができるので、編集効率を大幅に向上させることができるといった効果、並びに、より効果のある編集、例えば撮影者の意図した編集を行うことができるという効果がある。以下、より具体的な例を、実施の形態として説明する。
【００２１】
［実施の形態］
【００２２】
Ｂ．カメラ一体型ＶＴＲの構成及びその動作説明（図２）
【００２３】
図２は、カメラ一体型ＶＴＲの構成例を示す構成図であり、このカメラ一体型ＶＴＲは、図１Ａに示したカメラ一体型ＶＴＲ３００に対応するものである。
【００２４】
〔接続及び構成〕
この図２に示すカメラ一体型ＶＴＲは、カメラ部１００と、第１の記録部１５０と、信号処理部２００と、第２の記録部２５０と、上記カメラ部１００、第１の記録部１５０、信号処理部２００及び第２の記録部２５０を制御するシステムコントローラ１２０と、操作パネル１１０と、タイムコード発生回路１４９と、血圧計１４８と、ＧＰＳ（ＧｒｏｂａｌＰｏｓｉｔｉｏｎｉｎｇＳｙｓｔｅｍ：衛星測位方式）１４７とで構成される。
【００２５】
ここで、上記血圧計１４８は、例えばカメラ一体型ＶＴＲの使用者の親指や手首に装着されるものであり、この血圧計１４８によって得られる血圧データや脈拍データは、第２の記録部２５０によって、後述するＩＣカード２５２に記録され、後に説明するオフライン編集時に、編集ポイントの探索等のインデックス情報として用いられる。また、上記ＧＰＳ１４７は、例えばカメラ一体型ＶＴＲに登載、若しくは使用者が携帯するものであり、このＧＰＳ１４８によって得られる位置データは、第２の記録部２５０によって、後述するＩＣカード２５２に記録され、後に説明するオフライン編集時に、編集ポイントの探索等のインデックス情報として用いられる。上記血圧計１４８、ＧＰＳ１４７は、図１に示した情報付加部１４０に対応する。
【００２６】
上記カメラ部１００は、光学系１０１と、光学系１０１からの光を電気信号に変換するＣＣＤ（ＣｈａｒｇｅＣｏｕｐｌｅｄＤｅｖｉｃｅ）１０２と、プリアンプ１０３と、Ａ−Ｄコンバータ１０４と、映像信号処理回路１０５と、マイクロフォン１０６と、プリアンプ１０７と、Ａ−Ｄコンバータ１０８及び音声信号処理回路１０９とで構成される。ここで、上記映像信号処理回路１０５は、同期信号の付加の他、ホワイトバランス、ニー補正、ブラックバランス、ガンマ補正、シェーディング補正等の各種補正処理を行う。尚、これらの各種補正情報は、第２の記録部２５０によって、後述するＩＣカード２５２に記録され、後に説明するオフライン編集時に、編集ポイントの探索等のインデックス情報として用いられる。
【００２７】
上記第１の記録部１５０は、映像信号処理回路１０５からの映像信号と、音声信号処理回路１０９からの音声信号に対して、夫々外符号エラー訂正コード及び内符号エラー訂正コードを付加し、積符号の形式に変換するエラー訂正コード付加回路１５１と、このエラー訂正コード付加回路１５１からの出力に対し、チャンネルコーディングによりディジタル変調処理を施すチャンネルコーディング回路１５２と、記録増幅回路１５３と、カセットコンパートメント１５４とで構成される。ここで、上記カセットコンパートメント１５４は、映像・テープ・カセットの磁気テープをローディングするためのテープローディング機構や、これらの動作を行わせるための駆動系、ドラムモータ及び磁気ヘッドの登載された回転ドラムとで構成される。
【００２８】
上記信号処理部２００は、映像信号処理回路１０５からの映像信号を圧縮する映像圧縮回路２０１、音声信号処理回路１０９からの音声信号を圧縮する音声圧縮回路２０２及び上述と同様のエラー訂正コードを付加するエラー訂正コード付加回路２０３とで構成される。ここで、上記映像圧縮回路２０１は、例えば動き検出処理を用いたＭＰＥＧ（Motion Picture Expert Group）に準拠した動画像圧縮処理、ＪＰＥＧ（Joint Photographic Coding Experts Group）に準拠した静止画像圧縮処理、単純な間引きによる圧縮処理等が採用可能である。また、上記音声圧縮回路２０２は、例えば１６ビットのディジタル音声データの場合においては、下位８ビットを切り捨てる等の単純な間引きによる圧縮処理が採用可能である。
【００２９】
また上記第２の記録手段は、ＩＣカードコントローラ２５１と、ＩＣカードスロット２５３と、このＩＣカードスロット２５３にセットされるＩＣカード２５２とで構成される。ここで、ＩＣカードは、例えばハードディスク若しくはフラッシュメモリで構成される。例えばＰＣＭＣＩＡに準拠したＩＣカードが使用可能である。
【００３０】
また上記システムコントローラ１２０は、メモリ１２０ａと、メモリ１２０ａに対するデータの書き込み、メモリ１２０ａからのデータの読み出しを行う、読み出し／書き込み手段１２０ｂと、上記カメラ部１００、第１の記録部１５０、信号処理部２００及び第２の記録部２５０を制御するための制御手段１２０ｃ、データの入出力処理を行うための入出力手段１２０ｄ、タイムコード発生回路１４９からのタイムコードデータ、血圧計１４８からの血圧や脈拍データ、ＧＰＳ１４７からの位置データ、操作部１１２を介して入力されるリールＩＤデータ、カメラ部１００のセットアップデータ（ガンマやニー補正等の補正情報）等の付加データを、映像圧縮回路２０１及び音声圧縮回路２０２によって夫々圧縮された圧縮映像信号及び圧縮音声信号に付加する情報付加手段１２０ｅとで構成される。
【００３１】
〔動作〕
この図２に示すカメラ一体型ＶＴＲにおける目的は、撮像した映像信号及び集音した音声信号の記録、並びに、付加データの記録である。以上のことを前提として動作を説明する。
【００３２】
カメラ一体型ＶＴＲに電源が投入されると、光学系１０１からＣＣＤ１０２に入射する光は、このＣＣＤ１０２において光電変換され、電気信号としてプリアンプ１０３に供給され、利得の調整が行われた後にＡ−Ｄコンバータ１０４に供給される。Ａ−Ｄコンバータ１０４に供給された電気信号は、ここでディジタル映像データに変換される。Ａ−Ｄコンバータ１０４からのディジタル映像データは、映像信号処理回路１０５に供給され、上述した各種補正処理が施された後、エラー訂正コード付加回路１５１及び映像圧縮回路２０１に夫々供給される。
【００３３】
一方、マイクロフォン１０６で集音された音声は、このマイクロフォン１０６によって電気信号に変換された後に、プリアンプ１０７を介して、Ａ−Ｄコンバータ１０８に供給され、このＡ−Ｄコンバータ１０８において、ディジタル音声データに変換される。Ａ−Ｄコンバータ１０８からのディジタル音声データは、音声信号処理回路１０９に供給され、各種音声信号処理が施された後に、エラー訂正コード付加回路１５１及び音声圧縮回路２０２に夫々供給される。
【００３４】
エラー訂正コード付加回路１５１に夫々供給されたディジタル映像データ及びディジタル音声データは、後述するシステムコントローラ１２０からのサブコードデータと共に、このエラー訂正コード付加回路１５１において、内符号エラー訂正コード及び外符号エラー訂正コードが付加されて、積符号形式のデータに変換された後に、チャンネルコーディング回路１５２に供給され、このチャンネルコーディング回路１５２において、ディジタル変調処理が施される。チャンネルコーディング回路１５２からのディジタル変調信号は、記録増幅回路１５３を経てカセットコンパートメント１５４の磁気ヘッドに供給される。
【００３５】
一方、映像圧縮回路２０１においては、映像信号処理回路１０５からのディジタル映像データが、圧縮される。この圧縮ディジタル映像データＶｄは、入出力手段１２０ｄを介して、システムコントローラ１２０に供給される。また、音声圧縮回路２０２においては、音声信号処理回路１０９からのディジタル音声データが、圧縮される。この圧縮ディジタル音声データＡｄは、入出力手段１２０ｄを介して、システムコントローラ１２０に供給される。システムコントローラ１２０に供給された圧縮ディジタル映像データ及び圧縮ディジタル音声データは、読み出し／書き込み手段１２０ｂにより、メモリ１２０ａのデータエリアに書き込まれる。
【００３６】
また、タイムコード発生回路１４９からのタイムコードデータ、後述するリールＩＤデータ、血圧系１４８からの血圧データ、脈拍データ及びＧＰＳ１４７からの位置データが、入出力手段１２０ｄを介して、システムコントローラ１２０に供給される。システムコントローラ１２０に供給されたリールＩＤデータ、血圧データ、脈拍データ及び位置データは、読み出し／書き込み手段１２０ｂにより、メモリ１２０ａのサブコードエリアに書き込まれる。そして更に、上記タイムコードデータは、カセットコンパートメント１５４のタイムコードデータ記録用の固定ヘッド（図示せず）に供給される。
【００３７】
メモリ１２０ａに一定量の圧縮ディジタル映像データ及び圧縮ディジタル音声データが記憶されると、制御手段１２０ｃの制御の元に、読み出し／書き込み手段１２０ｂが、メモリ１２０ａに対する読み出し制御を開始する。メモリ１２０ａから読み出された圧縮ディジタル映像データ、圧縮ディジタル音声データ及びサブコードデータは、夫々エラー訂正コード付加回路２０３に供給され、このエラー訂正コード付加回路２０３において、外符号エラー訂正コード及び内符号エラー訂正コードが付加されて、積符号形式のデータに変換される。この積符号形式のデータは、ＩＣカードコントローラ２５１を介してＩＣカード２５２に供給される。
【００３８】
以上のような動作状態において、使用者により、操作部１１２が操作されることにより、リールＩＤが入力されると、情報付加手段１２０ｅの制御の元に、読み出し／書き込み回路１２０ｂが、入出力手段１２０ｄを介して供給されるリールＩＤデータを、メモリ１２０ａのサブコードエリアに書き込む。このサブコードエリアに書き込まれたサブコードデータは、ＩＣカードコントローラ２５１に供給されると共に、エラー訂正コード付加回路１５１にも供給される。続いて、使用者によって、記録キー（図示せず）が押圧されると、システムコントローラ１２０の制御手段１２０ｃは、カセットコンパートメント１５４に制御信号を供給し、キャプスタンモータ、リールモータ及びドラムモータ（図示せず）の駆動を夫々開始する。これによって、セットされているビデオ・テープ・カセットの磁気テープが走行し、回転ドラムが回転する。
【００３９】
これによって、記録増幅回路１５３からのディジタル変調信号が、磁気ヘッドに供給され、ビデオ・テープ・カセットの磁気テープ上に傾斜トラックを形成するように記録されると共に、タイムコードデータが、固定ヘッドにより、ビデオ・テープ・カセットの磁気テープ上に長手トラックを形成するように記録される。また、エラー訂正コード付加回路２０３からのデータが、ＩＣカードコントローラ２５１を介してＩＣカードに供給され、ＩＣカードに記録される。
【００４０】
Ｃ．カメラ一体型ＶＴＲの制御動作の説明（図３）
【００４１】
図３は、図２に示したカメラ一体型ＶＴＲの制御動作を説明するためのフローチャートであり、以下に説明する制御動作の主体は、図２に示したシステムコントローラ１２０の各手段である。
【００４２】
ステップＳ１では、図２に示した制御手段１２０ｃが、操作部１１２を介して、リールＩＤデータが入力されたか否かを判断し、「ＹＥＳ」であればステップＳ２に移行する。
【００４３】
ステップＳ２では、図２に示した読み出し／書き込み手段１２０ｂが、入出力手段１２０ｄを介して供給されるリールＩＤデータを、メモリ１２０ａのサブコードデータの記憶エリアに書き込む。
【００４４】
ステップＳ３では、図２に示した制御手段１２０ｃが、操作部１１２の記録キーが押圧されたか否かを判断し、「ＹＥＳ」であればステップＳ３に移行する。
【００４５】
ステップＳ４では、図２に示した制御手段１２０ｃが、カメラ部１００、第１の記録部１５０、信号処理部２００並びに第２の記録部２５０に対し、夫々制御信号を供給し、上記各部の動作を開始する。
【００４６】
ステップＳ５では、図２に示した制御手段１２０ｃが、タイムコードデータが供給されたか否かを判断し、「ＹＥＳ」であればステップＳ６に移行する。
【００４７】
ステップＳ６では、図２に示した制御手段１２０ｃの制御の元に、読み出し／書き込み手段１２０ｂが、入出力手段１２０ｄを介して供給される、タイムコードデータ、血圧データ、脈拍データ、位置データ及びカメラ部調整データからなる付加データを、メモリ１２０ａのサブコードデータの記憶エリアに書き込む。
【００４８】
ステップＳ７では、図２に示した制御手段１２０ｃの制御の元に、読み出し／書き込み手段１２０ｂが、入出力手段１２０ｄを介して供給される、圧縮ディジタル映像データ及び圧縮ディジタル音声データを、メモリ１２０ａのデータエリアに書き込む。
【００４９】
ステップＳ８では、図２に示した制御手段１２０ｃの制御の元に、読み出し／書き込み手段１２０ｂが、メモリ１２０ａに記憶されている圧縮ディジタル映像データ、圧縮ディジタル音声データ並びに付加データを、読み出す。制御手段１２０ｃは、メモリ１２０ａから読み出された圧縮ディジタル映像データ、圧縮ディジタル音声データ並びに付加データを、入出力手段１２０ｄを介して、エラー訂正コード付加回路２０３並びにエラー訂正コード付加回路１５１に夫々供給する。
【００５０】
エラー訂正コード付加回路２０３及び１５１に夫々供給された付加データは、既に説明したように、夫々サブコードデータとして、外符号エラー訂正コード及び内符号エラー訂正コードが付加される。
【００５１】
ステップＳ９では、図２に示した制御手段１２０ｃが、操作部１１２の停止キーが押圧されたか否かを判断し、「ＹＥＳ」であれば終了し、「ＮＯ」であれば再びステップＳ５に移行する。
【００５２】
以上の処理が済むと、ＩＣカード２５２には、圧縮ディジタル映像データ、圧縮ディジタル音声データ、サブコードデータが記録され、ビデオ・テープ・カセットの磁気テープ上には、ディジタル映像データ、ディジタル音声データ、サブコードデータが記録される。そして、素材の収録されたビデオ・テープ・カセット及びＩＣカードは、次に説明する、オフライン用の編集システムで用いられる。
【００５３】
Ｄ．オフライン用の編集システムの構成及びその動作説明（図４）
【００５４】
図４は、オフライン用の編集システムの構成例を示す構成図であり、このオフライン用の編集システムは、図１Ｂに示した第１の編集システム４００に対応するものである。
【００５５】
〔接続及び構成〕
この図４に示すオフライン用の編集システムは、ＣＰＵ１にバス３５２が接続され、このバス３５２に、プログラムデータＤａ１及びエディットリストエディタデータＤａ２の記憶されたＲＯＭ３５３、ＲＡＭ３５４、テレビジョンモニタ３６８への圧縮ディジタル映像データの表示用のビデオＲＡＭ３５５ａ、ＬＣＤ３６５への画像データ化されたエディットリストの表示用のビデオＲＡＭ３５５ｂ、入出力ポート３５６が接続され、この入出力ポート３５６に、インターフェース回路３５７を介してＩＣカードスロット３５８、インターフェース回路３５９を介して伸長回路３６０、インターフェース回路３６１を介してフロッピー・ディスク・ドライブ３６２、出力回路３６７を介してテレビジョンモニタ３６８、出力回路３６７を介してスピーカ３６９が夫々接続され、更に、ＬＣＤ３６５及び操作キー群３６６を有する操作パネル３６４が接続されて構成される。
【００５６】
ここで、上記ＲＡＭ３５４には、ＲＯＭ３５３に記憶されているエディットリストエディタデータ、即ち、エディットリストの各データを入力するためのエディタがロードされる。そして、ＲＡＭ３５４にロードされたエディタの記憶エリアに、順次、データが書き込まれることにより、エディットリストＤａ３が生成される。また、上記ＲＡＭ３５４には、ワークエリアＡｒ１及びバッファエリアＡｒ２が夫々設定される。ワークエリアＡｒ１は、ＣＰＵ３５１のワーク用であり、バッファエリアＡｒ２は、ＩＣカード２５２から読み出された圧縮ディジタル映像データ、圧縮ディジタル音声データ及びサブコードデータや、伸長回路３６０で伸長処理の施された圧縮ディジタル映像データ及び圧縮ディジタル音声データのバッファリング用である。
【００５７】
また、図中、一点鎖線で示す領域内に夫々示すブロックは、ＲＯＭ３５３に記憶されているプログラムデータＤａ１により、電源投入後にＣＰＵ３５１が有する多くの機能の内、最も重要な機能を示す。
【００５８】
キー入力認識手段３７０操作パネル３６４の操作キー群の内、どのキーが押圧されたのかを認識する機能である。
＊読み出し／書き込み制御手段３７１ＲＯＭ３５３からのデータの読み出し、ＲＡＭ３５４に対するデータの書き込み、ＲＡＭ３５４からのデータの読み出し、ビデオＲＡＭ３５５ａ及び３５５ｂに対するデータの書き込み、ビデオＲＡＭ３５５ａ及び３５５ｂからのデータの読み出しを行う機能である。
＊ファイル管理手段３７２ＲＡＭ３５４に保持されているエディットリストＤａ３を、エディットリストファイルとして、フロッピー・ディスク・ドライブ３６２にセットされているフロッピー・ディスク３６３に記録する機能と、フロッピー・ディスク３６３に記録されているエディットリストファイルを読み出す機能である。
＊ＩＣカードドライバ３７３ＩＣカード２５２に対するデータの記録、並びにＩＣカード２５２からのデータの読み出しを行う機能である。
＊伸長ボードドライバ３７４伸長回路３６０に供給するデータや供給の形態を、伸長回路３６０のフォーマットに合致させるための機能である。
＊情報読み取り手段３７５ＩＣカード２５２から読み出されるデータの内、サブコードデータを抽出する機能である。
＊ＬＣＤ制御手段３７６エディットリストＤａ３を、画像データに変換することにより、エディットリストＤａ３を、ＬＣＤ３６５の表示面上に画像として表示する機能である。
＊指示認識手段３７７キー入力認識手段３７０の認識結果に基いて、使用者からの指示を認識する機能である。
＊エディットリスト生成手段３７８キー入力認識手段３７０の認識結果に基いて、エディットリストＤａ３の対応項目のデータとして、ＲＡＭ３５４上のエディットリストＤａ３に登録するための制御を、読み出し／書き込み制御手段３７１に対して行う機能である。
【００５９】
〔動作〕
以下、図４に示すオフライン用の編集システムの動作を説明する。但し、以下の説明では、その制御動作の主体をＣＰＵ３５１として説明する。既に説明した上記各手段を制御動作の主体とした説明は、項目Ｅにおいてフローチャートを参照して説明する。
【００６０】
ＩＣカード２５２に記録されている圧縮ディジタル映像データ、圧縮ディジタル音声データ並びにサブコードデータが、順次、インターフェース回路３５７、入出力ポート３５６及びバス３５２を夫々介して供給される。ＣＰＵ１は、ＩＣカード２５２から読み出されるデータを、ＲＡＭ３５４のバッファエリアＡｒ２に書き込むと共に、書き込んだデータの内、圧縮ディジタル映像データ及び圧縮ディジタル音声データのみを、バス３５２、入出力ポート３５６及びインターフェース回路３５９を夫々介して、伸長回路３６０に供給する。そして、ＣＰＵ１は、伸長回路３６０において伸長処理されたディジタル映像データを、ビデオＲＡＭ３５５ａに、ディジタル音声データを、ＲＡＭ３５４に夫々書き込み、続いて、ビデオＲＡＭ３５５ａに書きこんだディジタル映像データを、バス３５２、入出力ポート３５６及び出力回路３６７を夫々介して、テレビジョンモニタ３６８に、ＲＡＭ３５４に書き込んだディジタル音声データを、バス３５４、入出力ポート３５６及び出力回路３６７を夫々介して、スピーカ３６９に供給する。これによって、テレビジョンモニタ３６には、ＩＣカード２５２から読み出された圧縮ディジタル映像データが画像として表示され、スピーカ３６９からは、ＩＣカード２５２から読み出された圧縮ディジタル音声データが、音声として出力される。
【００６１】
一方、ＣＰＵ３５１は、ＲＡＭ３５４のバッファエリアＡｒ２に保持されたデータの内、サブコードデータのみを読み出し、読み出したサブコードデータを、画像データに変換し、変換して得られた画像データを、ビデオＲＡＭ３５５ｂに書き込み、続いて、ビデオＲＡＭ３５５ｂに書き込んだ画像データを、バス３５２及び入出力ポート３５６を介して、ＬＣＤ３６５に供給する。これによって、ＬＣＤ３６５の表示面上には、タイムコードデータ、血圧データ、脈拍データ、位置データ、カメラ部調整データ、リールＩＤデータ等のサブコードデータが、画像として表示される。
【００６２】
以上のような状態において、使用者が、操作キー群３６６のイン点指定キー（図示せず）やアウト点指定キー（図示せず）を押圧すると、その押圧時点にＲＡＭ３５４のバッファエリアＡｒ２に保持されているタイムコードデータ、並びにサブコードデータが、イン点若しくはアウト点のタイムコードデータ、並びにサブコードデータとして、エディットリストＤａ３に登録される。
【００６３】
Ｅ．オフライン編集処理における動作の説明（図５〜図８）
【００６４】
図５〜図８は、夫々図４に示したオフライン用の編集システムにおける制御動作をより詳細に説明するためのフローチャートである。以下の説明においては、制御動作の主体は、図４に示した各手段である。
【００６５】
ステップＳ１１では、図２に示したＩＣカードドライバ３７３が、ＩＣカード２５２が、ＩＣカードスロット３５８にセットされているか否かを判断し、「ＹＥＳ」であればステップＳ１２に移行する。
【００６６】
ステップＳ１２では、図２に示したファイル管理手段３７２が、フロッピー・ディスク３６３が、フロッピー・ディスク・ドライブ３６２にセットされているか否かを判断し、「ＹＥＳ」であればステップＳ１３に移行する。
【００６７】
ステップＳ１３では、図２に示した読み出し／書き込み制御手段３７１が、エディットリスト生成手段３７８の制御の元に、ＲＯＭ３５３から、エディットリストエディタデータＤａ２を読み出す。
【００６８】
ステップＳ１４では、図２に示した読み出し／書き込み制御手段３７１が、読み出したエディットリストエディタデータＤａ２を、ＲＡＭ３５４に書き込む。
【００６９】
ステップＳ１５では、図２に示したＩＣカードドライバ３７３が、情報読み取り手段３７５の制御の元に、ＩＣカード２５２に記録されているデータの読み取りを行う。ＩＣカード２５２から読み出されたデータは、インターフェース回路３５７、入出力ポート３５６及びバス３５２を介して、ＲＡＭ３５４に供給される。このとき、読み出し／書き込み制御手段３７１は、ＲＡＭ３５４に対し、書き込み制御信号を供給する。これによって、ＩＣカード２５２から読み出されたデータは、ＲＡＭ３５４に書き込まれる。
【００７０】
ステップＳ１６では、図２に示した読み出し／書き込み制御手段３７１が、情報読み取り手段３７５の制御の元に、ＲＡＭ３５４に記憶されたデータ中から、リールＩＤデータを読み出し、読み出したリールＩＤデータを、エディットリスト生成手段３７８に供給する。エディットリスト生成手段３７８は、リールＩＤデータを、ＲＡＭ３５４に供給する。続いて、読み出し／書き込み制御手段３７１が、エディットリスト生成手段３７８の制御の元に、ＲＡＭ３５４に対し、書き込み制御信号を供給する。これによって、リールＩＤデータは、ＲＡＭ３５４のエディットリストＤａ３に登録される。
【００７１】
ステップＳ１７では、図２に示した読み出し／書き込み制御手段３７１が、ＬＣＤ制御手段３７６の制御の元に、ＲＡＭ３５４に記憶されているエディットリストデータＤａ３を読み出す。ＲＡＭ３５４から読み出されたエディットリストデータＤａ３は、バス３５２を介して、ＬＣＤ制御手段３７６に供給される。ＬＣＤ制御手段３７６は、エディットリストデータＤａ３を、画像データに変換し、変換後の画像データを、ビデオＲＡＭ３５５ｂに供給する。このとき、読み出し／書き込み制御手段３７１は、ＬＣＤ制御手段３７６の制御の元に、ビデオＲＡＭ３５５ｂに対し、書き込み制御信号を供給する。これによって、ＬＣＤ制御手段３７６からのエディットリストデータＤａ３の画像データは、ビデオＲＡＭ３５５ｂに書き込まれる。
【００７２】
ステップＳ１８では、図２に示した読み出し／書き込み制御手段３７１が、ＬＣＤ制御手段３７６の制御の元に、ビデオＲＡＭ３５５ｂに対し、読み出し制御信号を供給する。これによって、ビデオＲＡＭ３５５ｂに記憶されているエディットリストデータＤａ３の画像データは、バス３５２及び入出力ポート３５６を介して、ＬＣＤ３６５に供給され、このＬＣＤ３６５の表示面上に、エディットリストの画像として表示される。
【００７３】
ステップＳ１９では、図２に示したキー入力認識手段３７０が、キー入力の認識結果を、指示認識手段３７７に供給する。指示認識手段３７７は、キー入力認識手段３７０からの認識結果に基いて、再生開始が指示されたか否かを判断し、「ＹＥＳ」であれば図６に示すフローチャートのステップＳ２０に移行する。
【００７４】
ステップＳ２０では、図２に示した指示認識手段３７７の指令により、ＩＣカードドライバ３７３が、バス３５２、入出力ポート３５６及びインターフェース回路３５７を介してＩＣカード２５２に対し、読み出しを示す制御信号を供給する。これによって、ＩＣカード２５２から、記録データが読み出される。読み出された記録データは、インターフェース回路３５７、入出力ポート３５６及びバス３５２を介して、ＲＡＭ３５４に供給される。
【００７５】
ステップＳ２１では、図２に示した読み出し／書き込み制御手段３７１が、ＩＣカードドライバ３７３の制御の元に、ＲＡＭ３５４に対し、書き込み制御信号を供給する。これによって、ＩＣカード２５２から読み出されたデータは、ＲＡＭ３５４のバッファエリアＡｒ２に記憶される。
【００７６】
ステップＳ２２では、図２に示した読み出し／書き込み制御手段３７１が、情報読み取り手段３７５の制御の元に、ＲＡＭ３５４に記憶されているサブコードデータを読み出し、読み出したサブコードデータを、ＲＡＭ３５４のワークエリアＡｒ１に書き込む。
【００７７】
ステップＳ２３では、図２に示した伸長ボードドライバ３７４の制御の元に、読み出し／書き込み制御手段３７１が、ＲＡＭ３５４のバッファエリアＡｒ２から、バッファリングされている圧縮ディジタル映像データ及び圧縮ディジタル音声データを読み出す。ＲＡＭ３５４から読み出された圧縮ディジタル映像データ及び圧縮ディジタル音声データは、バス３５２、入出力ポート３５６及びインターフェース回路３５９を介して、伸長回路３６０に供給され、この伸長回路３６０により、元のディジタル映像データ及びディジタル音声データに復元される。伸長回路３６で復元されたディジタル映像データ及びディジタル音声データは、インターフェース回路３５９、入出力ポート３５６及びバス３５２を介して、ＲＡＭ３５４に供給される。
【００７８】
ステップＳ２４では、図２に示した読み出し／書き込み制御手段３７１が、伸長ボードドライバ３７４の制御の元に、ＲＡＭ３５４に対し、書き込み制御信号を供給する。これによって、復元されたディジタル映像及び音声データは、ＲＡＭ３５４のバッファエリアＡｒ２に記憶される。
【００７９】
ステップＳ２５では、図２に示した読み出し／書き込み制御手段３７１が、ＲＡＭ３５４のバッファエリアＡｒ２に記憶されているディジタル映像データを、ビデオＲＡＭ３５５ａに書き込む。
【００８０】
ステップＳ２６では、図２に示した読み出し／書き込み制御手段３７１が、ＬＣＤ制御手段３７６の制御の元に、ＲＡＭ３５４のワークエリアＡｒ１に記憶されているサブコードデータ中のタイムコードデータ及び付加データを、夫々読み出す。ＲＡＭ３５４から読み出されたタイムコードデータ及び付加データは、ＬＣＤ制御手段３７６に供給される。ＬＣＤ制御手段３７６は、タイムコードデータ及び付加データを、画像データに変換し、当該画像データを、ビデオＲＡＭ３５５ｂに供給する。このとき、読み出し／書き込み制御手段３７１は、ＬＣＤ制御手段３７６の制御の元に、ビデオＲＡＭ３５５ｂに対し、書き込み制御信号を供給する。これによって、上記画像データは、ビデオＲＡＭ３５５ｂに記憶される。
【００８１】
ステップＳ２７では、図２に示した読み出し／書き込み制御手段３７１が、ビデオＲＡＭ３５５ａに記憶されているディジタル映像データを読み出すと共に、ＲＡＭ３５４のバッファエリアＡｒ２に記憶されているディジタル音声データを読み出す。ディジタル映像データ及びディジタル音声データは、バス３５２及び入出力ポート３５６を介して、出力回路３６７に供給される。そして、ディジタル映像データは、出力回路３６７により、テレビジョンモニタ３６８に供給され、テレビジョンモニタ３６８において画像として表示される。また、ディジタル音声データは、出力回路３６７により、スピーカ３６９に供給され、スピーカ３６９から、音声として出力される。一方、図２に示した読み出し／書き込み制御手段３７１が、ビデオＲＡＭ３５５ｂに記憶されている画像データを読み出す。ビデオＲＡＭ３５５ｂから読み出された画像データは、バス３５２及び入出力ポート３５６を介して、ＬＣＤ３６５に供給され、タイムコード及び付加データの画像として表示される。
【００８２】
ステップＳ２８では、図２に示したキー入力認識手段３７０からの認識結果に基いて、指示認識手段３７７が、イン点が指定されたか否かを判断し、「ＹＥＳ」であればステップＳ２９に移行し、「ＮＯ」であれば再びステップＳ２４に移行する。
【００８３】
ステップＳ２９では、図２に示した読み出し／書き込み制御手段３７１が、エディットリスト生成手段３７８の制御の元に、ＲＡＭ３５４のワークエリアＡｒ２に記憶されているタイムコードデータ及び付加データを、ＲＡＭ３５４に記憶されているエディットリストＤａ３の対応エリアに書き込む。
【００８４】
図７に示すフローチャートのステップＳ３０では、読み出し／書き込み制御手段３７１が、ＬＣＤ制御手段３７６の制御の元に、ＲＡＭ３５４のエディットリストＤａ３に登録されているタイムコードデータ及び付加データを、読み出す。読み出されたタイムコードデータ及び付加データは、ＬＣＤ制御手段３７６に供給される。ＬＣＤ制御手段３７６は、タイムコードデータ及び付加データを、画像データに変換し、当該画像データを、ビデオＲＡＭ３５５ｂに供給する。このとき、読み出し／書き込み制御手段３７１は、ＬＣＤ制御手段３７６の制御の元に、ＲＡＭ３５４に対し、書き込み制御信号を供給する。この書き込み制御信号は、ＲＡＭ３５４に記憶されているエディットリストの画像データの、各項目の画像データの対応する記憶エリアを示すアドレスを含む。
【００８５】
ステップＳ３１では、図２に示した読み出し／書き込み制御手段３７１が、ＬＣＤ制御手段３７６の制御の元に、ビデオＲＡＭ３５５ｂに対し、読み出し制御信号を供給する。これによって、ビデオＲＡＭ３５５ｂから読み出された画像データは、バス３５２及び入出力ポート３５６を介して、ＬＣＤ３６５に供給され、このＬＣＤ３６５の表示面上に画像として表示される。このとき、使用者が指定したイン点のタイムコード並びに付加データが、表示されているエディットリスト内に、画像として表示される。
【００８６】
ステップＳ３２では、図２に示した伸長ボードドライバ３７４の制御の元に、読み出し／書き込み制御手段３７１が、ＲＡＭ３５４のバッファエリアＡｒ２から、バッファリングされている圧縮ディジタル映像データ及び圧縮ディジタル音声データを読み出す。ＲＡＭ３５４から読み出された圧縮ディジタル映像データ及び圧縮ディジタル音声データは、バス３５２、入出力ポート３５６及びインターフェース回路３５９を介して、伸長回路３６０に供給され、この伸長回路３６０により、元のディジタル映像データ及びディジタル音声データに復元される。伸長回路３６で復元されたディジタル映像データ及びディジタル音声データは、インターフェース回路３５９、入出力ポート３５６及びバス３５２を介して、ＲＡＭ３５４に供給される。
【００８７】
ステップＳ３３では、図２に示した読み出し／書き込み制御手段３７１が、伸長ボードドライバ３７４の制御の元に、ＲＡＭ３５４に対し、書き込み制御信号を供給する。これによって、復元されたディジタル映像及び音声データは、ＲＡＭ３５４のバッファエリアＡｒ２に記憶される。
【００８８】
ステップＳ３４では、図２に示した読み出し／書き込み制御手段３７１が、ＲＡＭ３５４のバッファエリアＡｒ２に記憶されているディジタル映像データを、ビデオＲＡＭ３５５ａに書き込む。
【００８９】
ステップＳ３５では、図２に示した読み出し／書き込み制御手段３７１が、ＬＣＤ制御手段３７６の制御の元に、ＲＡＭ３５４のワークエリアＡｒ１に記憶されているサブコードデータ中のタイムコードデータ及び付加データを、夫々読み出す。ＲＡＭ３５４から読み出されたタイムコードデータ及び付加データは、ＬＣＤ制御手段３７６に供給される。ＬＣＤ制御手段３７６は、タイムコードデータ及び付加データを、画像データに変換し、当該画像データを、ビデオＲＡＭ３５５ｂに供給する。このとき、読み出し／書き込み制御手段３７１は、ＬＣＤ制御手段３７６の制御の元に、ビデオＲＡＭ３５５ｂに対し、書き込み制御信号を供給する。これによって、上記画像データは、ビデオＲＡＭ３５５ｂに記憶される。
【００９０】
ステップＳ３６では、図２に示した読み出し／書き込み制御手段３７１が、ビデオＲＡＭ３５５ａに記憶されているディジタル映像データを読み出すと共に、ＲＡＭ３５４のバッファエリアＡｒ２に記憶されているディジタル音声データを読み出す。ディジタル映像データ及びディジタル音声データは、バス３５２及び入出力ポート３５６を介して、出力回路３６７に供給される。そして、ディジタル映像データは、出力回路３６７により、テレビジョンモニタ３６８に供給され、テレビジョンモニタ３６８において画像として表示される。また、ディジタル音声データは、出力回路３６７により、スピーカ３６９に供給され、スピーカ３６９から、音声として出力される。一方、図２に示した読み出し／書き込み制御手段３７１が、ビデオＲＡＭ３５５ｂに記憶されている画像データを読み出す。ビデオＲＡＭ３５５ｂから読み出された画像データは、バス３５２及び入出力ポート３５６を介して、ＬＣＤ３６５に供給され、タイムコード及び付加データの画像として表示される。
【００９１】
ステップＳ３７では、図２に示したキー入力認識手段３７０からの認識結果に基いて、指示認識手段３７７が、アウト点が指定されたか否かを判断し、「ＹＥＳ」であればステップＳ３８に移行し、「ＮＯ」であれば再びステップＳ３２に移行する。
【００９２】
ステップＳ３８では、図２に示した読み出し／書き込み制御手段３７１が、エディットリスト生成手段３７８の制御の元に、ＲＡＭ３５４のワークエリアＡｒ２に記憶されているタイムコードデータ及び付加データを、ＲＡＭ３５４に記憶されているエディットリストＤａ３の対応エリアに書き込む。
【００９３】
ステップＳ３９では、読み出し／書き込み制御手段３７１が、ＬＣＤ制御手段３７６の制御の元に、ＲＡＭ３５４のエディットリストＤａ３に登録されているタイムコードデータ及び付加データを、読み出す。読み出されたタイムコードデータ及び付加データは、ＬＣＤ制御手段３７６に供給される。ＬＣＤ制御手段３７６は、タイムコードデータ及び付加データを、画像データに変換し、当該画像データを、ビデオＲＡＭ３５５ｂに供給する。このとき、読み出し／書き込み制御手段３７１は、ＬＣＤ制御手段３７６の制御の元に、ＲＡＭ３５４に対し、書き込み制御信号を供給する。この書き込み制御信号は、ＲＡＭ３５４に記憶されているエディットリストの画像データの、各項目の画像データの対応する記憶エリアを示すアドレスを含む。
【００９４】
ステップＳ４０では、図２に示した読み出し／書き込み制御手段３７１が、ＬＣＤ制御手段３７６の制御の元に、ビデオＲＡＭ３５５ｂに対し、読み出し制御信号を供給する。これによって、ビデオＲＡＭ３５５ｂから読み出された画像データは、バス３５２及び入出力ポート３５６を介して、ＬＣＤ３６５に供給され、このＬＣＤ３６５の表示面上に画像として表示される。このとき、使用者が指定したイン点のタイムコード並びに付加データが、表示されているエディットリスト内に、画像として表示される。
【００９５】
ステップＳ４１では、図２に示したキー入力認識手段３７０からの認識結果に基いて、指示認識手段３７７が、処理の終了が指示されたか否かを判断し、「ＹＥＳ」であればステップＳ４２に移行し、「ＮＯ」であれば再び図６に示したフローチャートのステップＳ２３に移行する。
【００９６】
ステップＳ４２では、図２に示した読み出し／書き込み制御手段３７１が、ファイル管理手段３７２の制御の元に、ＲＡＭ３５４に記憶されているエディットリストデータＤａ３を読み出す。ＲＡＭ３５４から読み出されたエディットリストデータＤａ３は、バス３５２を介して、ファイル管理手段３７２に供給される。ファイル管理手段３７２は、エディットリストデータＤａ３のファイル名データを生成し、このファイル名データとエディットリストデータＤａ３を、バス３５２、入出力ポート３５６及びインターフェース回路３６１を介して、フロッピー・ディスク・ドライブ３６２に供給する。フロッピー・ディスク・ドライブ３６２は、ファイル名データを、フロッピー・ディスク３６３のインデックス用の領域に記録すると共に、エディットリストデータＤａ３を、フロッピー・ディスク３６３のデータの記録用のエリアに記録する。
【００９７】
以上の処理により、リールＩＤデータ、イン点及びアウト点のタイムコードデータからなるエディットリストデータＤａ３が、フロッピー・ディスク３６３に、１つのファイルとして記録される。このエディットリストデータＤａ３が記録されたフロッピー・ディスク３６３は、カメラ一体型ＶＴＲで用いられたビデオ・テープ・カセットと共に、次に説明するオンライン用の編集システムで使用される。
【００９８】
Ｆ．オンライン用の編集システムの構成及びその動作説明（図９）
【００９９】
図９は、オンライン用の編集システムの構成例を示す構成図であり、このオンライン用の編集システムは、図１Ｃに示した第２の編集システム５５０に対応するものである。
【０１００】
〔接続及び構成〕
この図９に示すオンライン用の編集システムは、図２に示したカメラ一体型ＶＴＲで素材を収録したビデオ・テープ・カセットを、エディットリストに基いて再生するための再生装置５００と、この再生装置５００で再生された映像及び音声データを例えば送出用のビデオ・テープ・カセットに記録するためのマスターＶＴＲ５０５と、上記再生装置５００及びマスターＶＴＲ５０５を夫々制御する編集機４５０とで構成される。ここで、上記再生装置５００は、カセット・オート・チェンジャーで構成される。
【０１０１】
上記再生装置５００は、カメラ一体型ＶＴＲで素材を収録したビデオ・テープ・カセット５０１−１〜５０１−ｎ等を保持するための棚装置５０１と、この棚装置５０１に保持されているビデオ・テープ・カセット５０１−１〜５０１−ｎの取り出し、取りだしたビデオ・テープ・カセット５０１−１〜５０１−ｎのＶＴＲ５０３−１〜５０３−ｎへのセット、ＶＴＲ５０３−１〜５０３−ｎから排出されたビデオ・テープ・カセット５０１−１〜５０１−ｎの棚装置５０１へのセットを、コントローラ５０６からの制御信号に基いて行う搬送装置５０２、ＶＴＲ５０３−１〜５０３−ｎと、ＶＴＲ５０３−１〜５０３−ｎからの再生映像及び音声信号を、コントローラ５０６からの制御信号により選択的に出力するセレクタ５０４と、上記搬送装置５０２、ＶＴＲ５０３−１〜５０３−ｎ及びセレクタ５０４を夫々制御するコントローラ５０６とで構成される。ここで、上記コントローラ５０６は、内部にメモリ５０７を有する。このメモリ５０７は、棚装置５０２の各棚の棚番号データと、リールＩＤデータとからなるテーブルである。
【０１０２】
このテーブルは、例えば次のような処理によって生成される。コントローラ５０６は、棚装置５０２にビデオ・テープ・カセット５０１−１〜５０１−ｎがセットされたときに、搬送装置５０２を制御して、搬送装置５０２に、棚装置５０２にセットされているビデオ・テープ・カセット５０１−１〜５０１−ｎを取り出させ、取りださせたビデオ・テープ・カセット５０１−１〜５０１−ｎを、ＶＴＲ５０３−１〜５０３−ｎにセットさせる。次に、コントローラ５０６は、ＶＴＲ５０３−１〜５０３−ｎを制御して、ＶＴＲ５０３−〜５０３−ｎを再生状態にし、その再生映像及び音声信号中のリールＩＤデータを読み取る。そして、読み取ったリールＩＤデータと、棚装置５０１の棚の棚番号データとを対応させて、メモリ５０７に記憶する。
【０１０３】
次に、上記編集機４５０の内部構成例について説明する。編集機４５０は、ＣＰＵ４５１にバス４５２が接続され、このバス４５２に、編集のためのプログラムデータの記憶されたＲＯＭ４５３、ワーク用のＲＡＭ４５４、入出力ポート４５５が接続され、更に、この入出力ポート４５５にインターフェース回路４５６を介してフロッピー・ディスク・ドライブ４５７が接続され、ＬＣＤ４５９及び操作キー群４６０を有する操作パネル４５８が接続されて構成される。
【０１０４】
また、図中、破線内に示す各ブロックは、上記ＣＰＵ４５１が有する機能である。
＊入力情報判別手段４７０操作キー群４７０の押圧による指示内容の判別を行う機能である。
＊読み出し／書き込み制御手段４７１ＲＯＭ４５３に対する読み出し制御信号の供給、ＲＡＭ４５４に対する読み出し、書き込み制御信号の供給を行う機能である。
＊表示制御手段４７２テキストデータ等を画像データに変換して、ＬＣＤ４５９に表示する機能である。
＊ファイル管理手段４７３フロッピー・ディスク３６３に対するファイルデータの記録、フロッピー・ディスク３６３に記録されているファイルデータの読み出しを行う機能である。
＊タイムコード読み取り手段４７４再生装置５００からのタイムコードデータを読み取る機能である。
＊ＶＴＲ制御手段４７５再生装置５００の各ＶＴＲ５０３−１〜５０３−ｎに対し、再生、停止、巻き戻し、早送り等の制御、編集対象のビデオ・テープ・カセットをＶＴＲ５０３−１〜５０３−ｎにセットさせるためにリールＩＤデータの転送、マスターＶＴＲ５０５に対し、再生、停止、巻き戻し、早送り等の制御を行う機能である。
＊計算手段４７６エディットリストに登録されているイン点やアウト点のタイムコードデータと、再生装置５００から供給されるタイムコードデータとの差を求める機能である。
＊判断手段４７７特定の指示内容の判別、計算手段４６６の求めた差に基づく編集ポイントか否かの判別、フロッピー・ディスク３６３の装填の判別、次の編集素材が有るか否かの判別を行う機能である。
＊エディットリスト編集手段４７８操作キー群４６０の操作内容に基づいて、ＲＡＭ４５４に記憶されているエディットリストデータＤａ３の対応データの内容を変更するための制御を行う機能である。
【０１０５】
〔動作〕
以下の動作説明では、説明の便宜上、上記機能ブロック４７０〜４７７を除いて行う。上記機能ブロック４７０〜４７７を制御動作の主体とした動作説明は、次の項目Ｇにおいて、フローチャートを参照してより詳細に説明する。
【０１０６】
フロッピー・ディスク３６３がフロッピー・ディスク・ドライブ４５７にセットされると、ＣＰＵ４５１の制御により、フロッピー・ディスク３６３から、ファイルとして記録されている、エディットリストデータＤａ３が読み出される。読み出されたエディットリストデータＤａ３は、インターフェース回路４５６、入出力ポート４５５及びバス４５２を介して、ＲＡＭ４５４に記憶される。
【０１０７】
一方、再生装置５００のコントローラ５０６は、既に説明したように、メモリ５０７上に、リールＩＤデータと、棚番号データとからなるテーブルを保持する。
【０１０８】
ＣＰＵ４５１は、ＲＡＭ４５４に記憶されているエディットリストデータＤａ３のデータ、即ち、リールＩＤデータ、イン点及びアウト点のタイムコードデータを、素材単位で読み出す。そして、リールＩＤデータを、コントローラ５０６に供給する。コントローラ５０６は、編集機４５０からリールＩＤデータが供給されると、当該リールＩＤデータに対応する棚番号データを、メモリ５０７のテーブルから検索する。そして、その棚番号データに基いて、搬送装置５０２を制御することにより、当該棚番号データの示す棚装置５０１の棚にセットされているビデオ・テープ・カセット５０１−１〜５０１−ｎを取り出し、次に、ＶＴＲ５０３−１〜５０３−ｎに装填する。そして、コントローラ５０６は、セレクタ５０４に選択制御信号を供給することにより、上記ビデオ・テープ・カセット５０１−１〜５０１−ｎの装填されたＶＴＲ５０３−１〜５０３−ｎの出力が、セレクタ５０４において選択されるようにする。続いて、コントローラ５０６は、ビデオ・テープ・カセット５０１−１〜５０１−ｎの装填されたＶＴＲ５０３−１〜５０３−ｎを一定時間（数秒）再生状態にする。
【０１０９】
ＶＴＲ５０３−１〜５０３−ｎが再生状態になると、ＶＴＲ５０３−１〜５０３−ｎからの再生映像及び音声データが、セレクタ５０４及びコントローラ５０６を介して、編集機４５０に供給される。編集機４５０は、上記再生データ中のタイムコードデータを抽出し、当該タイムコードデータと、現在処理対象となっている素材のイン点のタイムコードデータとの差を得る。そしてその差に基いて、コントローラ５０６に対し、巻き戻し若しくは早送りを示す制御信号を供給する。この制御信号がコントローラ５０６に供給されると、コントローラ５０６は、ＶＴＲ５０３−１〜５０３−ｎを、早送り若しくは巻き戻し状態にする。この間、編集機４５０には、上述と同様に再生データが供給される。編集機４５０は、抽出したタイムコードデータが、イン点のタイムコードデータからプリロール期間分だけ手前のタイムコードデータとなったときに、コントローラ５０６に対し、停止を示す制御信号を供給する。これによって、コントローラ５０６は、ＶＴＲ５０３−１から５０３−ｎを、停止状態にする。
【０１１０】
続いて、編集機４５０は、コントローラ５０６に対し、再生を示す制御信号を供給する。これによって、コントローラ５０６は、ＶＴＲ５０３−１〜５０３−ｎを、再生状態にする。同時に、編集機５０５は、マスターＶＴＲ５０５を記録一時停止状態にする。
【０１１１】
編集機４５０は、コントローラ５０６からの再生データ中から抽出したタイムコードデータと、イン点のタイムコードデータとが一致したときに、マスターＶＴＲ５０５を制御して、マスターＶＴＲ５０５の記録一時停止状態を解除する。これによって、再生装置５００からの再生映像及び音声データが、マスターＶＴＲ５０５にセットされているビデオ・テープ・カセットの磁気テープ上に記録される。
【０１１２】
編集機４５０は、引き続き、コントローラ５０６からの再生データ中から抽出したタイムコードデータと、アウト点のタイムコードデータとが一致するか否かを判断し、これらが一致したときに、マスターＶＴＲ５０５を制御して、マスターＶＴＲ５０５を記録一時停止状態にすると共に、コントローラ５０６に対し、停止を示す制御信号を供給する。これによって、コントローラ５０６は、ＶＴＲ３０５−１〜５０３−ｎの再生を停止する。
【０１１３】
そして、編集機４５０のＣＰＵ４５１は、エディットリストから、次の素材に対応するデータを読み出し、上述と同様の処理を行う。以上の処理が、エディットリストデータＤａ３に登録されている素材全てに対して行われることにより、マスターＶＴＲ５０５にセットされているビデオ・テープ・カセットには、カメラ一体型ＶＴＲで収録された映像及び音声データの内、オフライン用の編集システムで指定された必要な素材のみが全て記録される。
【０１１４】
尚、エディットリストデータＤａ３に基いて、再生を行い、その再生映像及び音声データをモニタし、その結果に基づき、オペレータが、ＲＡＭ４５４上のエディットリストデータＤａ３の内容を、操作キー群４６０の操作により、変更し、変更後のエディットリストデータＤａ３に基いて、再生を行い、その再生データを、マスターＶＴＲ５０５にセットされているビデオ・テープ・カセットに、記録することも可能である。
【０１１５】
Ｇ．オンライン編集処理における動作の説明（図１０及び図１１）
【０１１６】
図１０及び図１１は、図９に示したオンライン用の編集システムにおける制御動作を説明するためのフローチャートである。以下、エディットリストデータＤａ３の内容を変更しないで、そのまま用いる場合を主体として説明する。
【０１１７】
ステップＳ５０では、図９に示した判断手段４７７が、フロッピー・ディスク・ドライブ４５７に、フロッピー・ディスク３６３がセットされたか否かを判断し、「ＹＥＳ」であればステップＳ５１に移行する。
【０１１８】
ステップＳ５１では、図９に示したファイル管理手段４７３が、フロッピー・ディスク・ドライブ４５７に対し、エディットリストデータＤａ３を読み出すよう指示する。これによって、フロッピー・ディスク・ドライブ４５７は、フロッピー・ディスク３６３から、エディットリストデータＤａ３を読み出す。フロッピー・ディスク３６３から読み出されたエディットリストデータＤａ３は、フロッピー・ディスク・ドライブ４５７、インターフェース回路４５６、入出力ポート４５５及びバス４５２を介して、ＲＡＭ４５４に供給され、このときに、読み出し／書き込み制御手段４７１からＲＡＭ４６１に対して与えられる書き込み制御信号により、ＲＡＭ４５４に書き込まれる。
【０１１９】
ステップＳ５２では、図２に示した読み出し／書き込み制御手段４７１が、表示制御手段４７２の制御の元に、ＲＡＭ４５４に対し、読み出し制御信号を供給し、ＲＡＭ４５４に記憶されているエディットリストデータＤａ３を読み出す。ＲＡＭ４５４から読み出されたエディットリストデータＤａ３は、バス４５２を介して表示制御手段４７２に供給される。表示制御手段４７２は、ＲＡＭ４５４からのエディットリストデータＤａ３を、画像データに変換し、当該画像データを、バス４５２及び入出力ポート４５５を介してＬＣＤ４５９に供給する。これによって、ＬＣＤ４５９の表示面上に、エディットリストデータが、画像として表示される。
【０１２０】
ステップＳ５３では、図２に示した入力情報判別手段４７０が、操作キー群４６０の操作内容を判別し、その判別結果を、判断手段４７７に供給する。判断手段４７７は、上記判別結果に基いて、編集開始が指示されたか否かを判断し、「ＹＥＳ」であればステップＳ５４に移行し、「ＮＯ」であればステップＳ５５に移行する。
【０１２１】
ステップＳ５４では、図２に示した読み出し／書き込み制御手段４７１が、ＶＴＲ制御手段４７４の制御の元に、ＲＡＭ４５４に記憶されているエディットリストデータＤａ３の内、処理対象の素材に対応するデータ、即ち、リールＩＤデータ、イン点及びアウト点のタイムコードデータを読み出し、読み出したこれらのデータを、ＲＡＭ４５４のワークエリアに書き込む。
【０１２２】
ステップＳ５５では、図２に示した入力情報判別手段４７０が、操作キー群４６０の押圧による対応データを発生し、当該データを、ＲＡＭ４５４に供給する。このとき、読み出し／書き込み制御手段４７１は、エディットリスト編集手段４７８の制御の元に、ＲＡＭ４５４に対し、書き込み制御信号を供給する。これによって、エディットリストデータＤａ３の対応部分のデータが、新たに入力されたデータによって上書きされる。尚、エディットリストデータＤａ３の編集を行うのにあたり、オペレータが、操作キー群４６０の内の再生キーを押圧することにより、既に、修正部分の確認を行っているものとする。
【０１２３】
ステップＳ５６では、図２に示した読み出し／書き込み制御手段４７１が、ＶＴＲ制御手段４７５の制御の元に、ＲＡＭ４５４のワークエリアに記憶されているエディットリストデータＤａ３の内の処理対象の素材の対応データの内の、リールＩＤデータを読み出す。ＲＡＭ４５４のワークエリアから読み出されたリールＩＤデータは、バス４５２及び入出力ポート４５５を介して、コントローラ５０６に供給される。
【０１２４】
コントローラ５０６は、既に説明したように、リールＩＤデータと棚番号データからなるテーブルを、メモリ５０７に保持している。従って、編集機４５０からのリールＩＤデータと同じリールＩＤデータと対とされてメモリ５０７に記憶されている、棚番号データを認識することができる。コントローラ５０６は、棚番号データを認識すると、その認識に基いて、搬送装置５０２に対し、当該棚番号データに対応する棚からビデオ・テープ・レコーダを取り出し、ＶＴＲ５０３−１〜５０３−ｎに装填することを示す制御信号を供給する。これによって、搬送装置５０２は、棚装置５０１の棚に夫々収納されているビデオ・テープ・カセット５０１−１〜５０１−ｎの内、当該棚番号データに一致する棚装置５０２の棚にセットされているビデオ・テープ・カセット５０１−１〜５０１−ｎを取り出し、取りだしたビデオ・テープ・カセット５０１−１〜５０１−ｎを、ＶＴＲ５０３−１〜５０３−ｎに装填する。
【０１２５】
ステップＳ５０７では、図２に示したチェンジャーコントローラ４７５が、コントローラ５０６に対し、再生を示す制御信号を供給する。コントローラ５０６は、セレクタ５０４に選択制御信号を供給することにより、上記ビデオ・テープ・カセット５０１−１〜５０１−ｎの装填されたＶＴＲ５０３−１〜５０３−ｎの出力が、セレクタ５０４において選択されるようにする。続いて、コントローラ５０６は、ビデオ・テープ・カセット５０１−１〜５０１−ｎの装填されたＶＴＲ５０３−１〜５０３−ｎを一定時間（数秒）再生状態にする。
【０１２６】
ＶＴＲ５０３−１〜５０３−ｎが再生状態になると、ＶＴＲ５０３−１〜５０３−ｎからの再生映像及び音声データが、セレクタ５０４、コントローラ５０６、入出力ポート４５５及びバス４５２を介して、タイムコード読み取り手段４７４に供給される。タイムコード読み取り手段４７４は、読み取ったタイムコードデータを、計算手段４７６に供給する。同時に、読み出し／書き込み制御手段４７１が、計算手段４７６の制御の元に、ＲＡＭ４５４のワークエリアに記憶されているイン点及びアウト点のタイムコードデータを読み出す。ＲＡＭ４５４から読み出されたイン点及びアウト点のタイムコードデータは、計算手段４７６に供給される。計算手段４７６は、イン点のタイムコードデータから、タイムコード読み取り手段４７４からのタイムコードデータを減算し、その減算結果を、判断手段４７７に供給する。
【０１２７】
判断手段４７７は、計算手段からの減算結果が、プラスか否かを判断し、プラスであれば早送りを示すデータを、マイナスであれば巻き戻しを示すデータを、ＶＴＲ制御手段４７５に供給する。ＶＴＲ制御手段４７５は、判断手段４７７から供給されるデータに基いて、コントローラ５０６に対し、早送り若しくは巻き戻しを示す制御信号を供給する。これによって、コントローラ５０６は、ビデオ・テープ・カセット５０１−１〜５０１−ｎの装填されているＶＴＲ５０３−１〜５０３−ｎに対し、早送り若しくは巻き戻しを示す制御信号を供給し、ＶＴＲ５０３−１〜５０３−ｎを早送り若しくは巻き戻し動作状態にする。
【０１２８】
ＶＴ５０３−１〜５０３−ｎからの再生データは、コントローラ５０６、入出力ポート４５５及びバス４５２を介して、タイムコード読み取り手段４７４に供給される。タイムコード読み取り手段４７４は、再生データ中からタイムコードデータを抽出し、抽出したタイムコードデータを、計算手段４７６に供給する。計算手段４７６は、イン点のタイムコードデータから、タイムコード読み取り手段４７４からのタイムコードデータを減算し、この減算結果を、判断手段４７７に供給する。判断手段４７７は、当該減算結果が、マイナスで、且つ、プリロール分の時間との差が所定時間分になったか否かを判断し、その判断結果を、ＶＴＲ制御手段４７５に供給する。ＶＴＲ制御手段４７５は、判断手段４７７からの判断結果に基いて、停止を示す制御信号を、コントローラ５０６に供給する。
【０１２９】
これによって、コントローラ５０６は、ＶＴＲ５０３−１〜５０３−ｎに対し、停止を示す制御信号を供給し、ＶＴＲ５０３−１〜５０３−ｎを停止状態にする。続いて、チェンジャーコントローラ４７５は、再生を示す制御信号を、コントローラ５０６に供給する。これによって、コントローラ５０６は、ＶＴＲ５０３−１〜５０３−ｎに対し、再生を示す制御信号を供給し、ＶＴＲ５０３−１〜５０３−ｎを、再生状態にする。ＶＴＲ５０３−１〜５０３−ｎが再生状態になると、再生データが、コントローラ５０６、入出力ポート４５５及びバス４５２を介して、タイムコード読み取り手段４７４に供給される。
【０１３０】
ステップＳ５８では、図２に示したＶＴＲ制御手段４７５が、マスターＶＴＲ５０５に対し、記録一時停止状態を示す制御信号を供給する。これによって、マスターＶＴＲ５０５は、記録一時停止状態となる。
【０１３１】
ステップＳ５９では、図２に示したタイムコード読み取り手段４７４が、コントローラ５０６からの再生データ中からタイムコードデータを抽出し、抽出したタイムコードデータを、計算手段４７５に供給する。計算手段４７５は、イン点のタイムコードデータから、タイムコード読み取り手段４７４からのタイムコードデータを減算し、その減算結果を、判断手段４７７に供給する。
【０１３２】
ステップＳ６０では、図２に示した判断手段４７６が、計算手段４７６からの減算結果が、イン点よりも１フレーム手前を示す値であるか否かを判断し、「ＹＥＳ」であればステップＳ６１に移行する。
【０１３３】
ステップＳ６１では、図２に示したＶＴＲ制御手段４７５が、マスターＶＴＲ５０５に対し、記録開始を示す制御信号を供給する。これによって、マスターＶＴＲ５０５は、記録を開始する。
【０１３４】
ステップＳ６２では、図２に示したＶＴＲ制御手段４７５が、コントローラ５０６に対し、セレクタ５０４から出力を行うことを示す制御信号を供給する。これによって、コントローラ５０６は、セレクタ５０４に対し、制御信号を供給し、ＶＴＲ５０３−１〜５０３−ｎからの再生データを、出力させる。セレクタ５０４から出力された再生データは、マスターＶＴＲ５０５に供給され、このマスターＶＴＲ５０５にセットされているビデオ・テープ・カセットの磁気テープ上に傾斜トラックを形成するように記録される。
【０１３５】
ステップＳ６３では、図２に示したタイムコード読み取り手段４７４が、コントローラ５０６からの再生データ中からタイムコードデータを抽出し、抽出したタイムコードデータを、計算手段４７５に供給する。計算手段４７５は、アウト点のタイムコードデータから、タイムコード読み取り手段４７４からのタイムコードデータを減算し、その減算結果を、判断手段４７７に供給する。判断手段４７６は、計算手段４７６からの減算結果が、アウト点を示す値であるか否かを判断し、「ＹＥＳ」であればステップＳ６４に移行する。
【０１３６】
ステップＳ６４では、図２に示したＶＴＲ制御手段４７５が、マスターＶＴＲ５０５に対し、記録一時停止を示す制御信号を供給する。これによって、マスターＶＴＲ５０５は、記録一時停止状態となる。
【０１３７】
ステップＳ６５では、図２に示した読み出し／書き込み制御手段４７１が、判断手段４７７の制御の元に、ＲＡＭ４５４に記憶されているエディットリストデータＤａ３の内、現時点で処理の終了した素材に対応するデータの次のデータを読み出す。ＲＡＭ４５４から読み出されたデータは、バス４５２を介して判断手段４７７に供給される。判断手段４７７は、ＲＡＭ４５４からのデータが、エディットリストデータＤａ３の登録データであるか否かを判断し、「ＹＥＳ」であれば再び図１０に示したフローチャートのステップＳ５７に移行し、「ＮＯ」であればステップＳ６６に移行する。尚、次の素材がない場合には、ＲＡＭ４５４上にはデータが書き込まれていないのであるから、例えば、全て“０”若しくは“１”となっており、容易に判別がつけられる。
【０１３８】
ステップＳ６６では、図２に示した入力情報判別手段４７０が、操作キー群４６０の操作内容を判別し、その判別結果を、判断手段４７７に供給する。判断手段４７７は、上記判別結果に基いて、編集処理の終了が指示されたか否かを判断し、「ＹＥＳ」であれば終了し、「ＮＯ」であれば再び図１０に示したフローチャートのステップＳ５０に移行する。
【０１３９】
以上の処理が、エディットリストデータＤａ３に登録されている全ての素材について行われることにより、マスターＶＴＲ５０５にセットされているビデオ・テープ・カセットの磁気テープ上に、所望の素材のみを記録することができる。
【０１４０】
〔変形例〕
尚、編集素材の数を示す値をフラグとして保持しておき、１つの素材の処理が済む都度、“１”ずつ減算し、その減算結果が“０”になったか否かによって、次の素材が有るか否かを判断するようにしても良い。
【０１４１】
〔変形例〕
上述の例においては、マスターＶＴＲ５０５を用いた場合について説明したが、勿論、そのまま送出するようにしても良い。その場合には、セレクタ５０４の出力端子には、マスターＶＴＲ５０５の代わりに、送出装置等が接続される。
【０１４２】
〔実施の形態における効果〕
このように、本実施の形態においては、カメラ一体型ＶＴＲで収録を行うときに、ビデオ・テープ・カセットには撮像映像及び音声信号を、圧縮等せずに記録し、ＩＣカード２５２には、撮像映像及び音声信号を、圧縮して記録し、しかもその際、血圧計１４８からの血圧データ及び脈拍データ、ＧＰＳ１４７からの位置データをも、各信号のサブコードエリアに含ませて記録する。
【０１４３】
次に、オフライン用の編集システムにおいて、上記ＩＣカード２５２に記録されている圧縮映像及び音声信号、上記血圧データ、脈拍データ、位置データを参照して、イン点及びアウト点を決定して素材を指定し、エディットリストデータＤａ３を生成し、当該エディットリストデータＤａ３を、フロッピー・ディスク３６３に記録する。
【０１４４】
次に、オンライン用の編集システムにおいて、上記フロッピー・ディスク３６３からエディットリストデータＤａ３を読み出し、必要に応じてその内容を変更し、変更後のエディットリストデータＤａ３に基いて、カメラ一体型ＶＴＲで素材を収録したビデオ・テープ・カセット５０１−１〜５０１−ｎの内の必要な部分を自動的に再生し、その再生データを記録若しくは送出する。
【０１４５】
従って、編集処理の最初から最後までテープ状記録媒体を使用する場合と比較して、特にイン点及びアウト点の指定を行う編集時における編集効率を大幅に向上させることができると共に、血圧データ、脈拍データ、位置データ等の付加データを参照して編集できるので、より撮影者の意図にそった編集結果を得ることができる。例えば、モニタに表示された画像を見ながら編集ポイントを決定するよりも、撮影者の血圧や脈拍が上がったところを編集ポイントとした方が、より撮影者の意図にそった編集が行える可能性がある。例えば、一瞬の間だけ、貴重な生物を撮影者が捉えた場合、その瞬間の画像をビデオ・テープ・カセットの磁気テープ上から探し出すのは、時間もかかり、また、見過ごすこともあるが、そのような場合には、血圧や脈拍が上がる可能性が高いので、血圧や脈拍が上がっている位置をサーチすれば、最も貴重な部分を短時間でサーチできることになる。
【図面の簡単な説明】
【０１４６】
【図１】本発明の概要を説明するための説明図である。
【図２】本発明の実施の形態を示す、カメラ一体型ＶＴＲの構成図である。
【図３】図２に示したカメラ一体型ＶＴＲにおける制御動作を説明するためのフローチャートである。
【図４】本発明の実施の形態を示す、オフライン用の編集システムの構成図である。
【図５】図４に示したオフライン用の編集システムにおける制御動作を説明するためのフローチャートである。
【図６】図４に示したオフライン用の編集システムにおける制御動作を説明するためのフローチャートである。
【図７】図４に示したオフライン用の編集システムにおける制御動作を説明するためのフローチャートである。
【図８】図４に示したオフライン用の編集システムにおける制御動作を説明するためのフローチャートである。
【図９】本発明の実施の形態を示す、オンライン用の編集システムの構成図である。
【図１０】図９に示したオンライン用の編集システムにおける制御動作を説明するためのフローチャートである。
【図１１】図９に示したオンライン用の編集システムにおける制御動作を説明するためのフローチャートである。
【符号の説明】
【０１４７】
１００‥‥カメラ部、１０１‥‥光学系、１０２‥‥ＣＣＤ、１０３、１０４‥‥プリアンプ、１０４、１０８‥‥Ａ−Ｄコンバータ、１０５‥‥映像信号処理回路、１０６‥‥マイクロフォン、１０９‥‥音声信号処理回路、１１０‥‥操作パネル、１１１‥‥ＬＣＤ、１１２‥‥操作部、１２０‥‥システムコントローラ、１２０‥‥ａメモリ、１２０‥‥ｂ読み出し／書き込み手段、１２０‥‥ｃ制御手段、１２０‥‥ｄ入出力手段、１２０‥‥ｅ情報付加手段、１４７‥‥ＧＰＳ、１４８‥‥血圧計、１４９‥‥タイムコード発生回路、１５０‥‥第１の記録部、１５１‥‥エラー訂正コード付加回路、１５２‥‥チャンネルコーディング回路、１５３‥‥記録増幅回路、１５４‥‥カセットコンパートメント、１６０‥‥テープ状記録媒体、２００‥‥信号処理部、２０１‥‥映像圧縮回路、２０２‥‥音声圧縮回路、２０３‥‥エラー訂正コード付加回路、２５０‥‥第２の記録部、２５１‥‥ＩＣカードコントローラ、２５２‥‥ＩＣカード、２５３‥‥ＩＣカードスロット、２６０‥‥非テープ状記録媒体、３００‥‥カメラ一体型ＶＴＲ、３５０‥‥編集機、３５１‥‥ＣＰＵ、３５２‥‥バス、３５３‥‥ＲＯＭ、Ｄａ１‥‥プログラムデータ、Ｄａ２‥‥エディットリストデータ、３５４‥‥ＲＡＭ、Ｄａ３‥‥エディットリスト、３５５ａ、３５５ｂ‥‥ビデオＲＡＭ、３５６‥‥入出力ポート、３５７、３５９、３６１‥‥インターフェース回路、３５８‥‥ＩＣカードスロット、３６０‥‥伸長ボード、３６２‥‥フロッピー・ディスク・ドライブ、３６３‥‥フロッピー・ディスク、３６４‥‥操作パネル、３６５‥‥ＬＣＤ、３６６‥‥操作キー群、３６７‥‥出力回路、３６８‥‥テレビジョンモニタ、３７０‥‥キー入力認識手段、３７１‥‥読み出し／書き込み制御手段、３７２‥‥ファイル管理手段、３７３‥‥ＩＣカードドライバ、３７４‥‥伸長ボードドライバ、３７５‥‥情報読み取り手段、３７６‥‥ＬＣＤ制御手段、３７７‥‥指示認識手段、３７８‥‥エディットリスト生成手段、４００‥‥第１の編集システム、４５０‥‥編集機、４５１‥‥ＣＰＵ、４５２‥‥バス、４５３‥‥ＲＯＭ、４５４‥‥ＲＡＭ、４５５‥‥入出力ポート、４５６‥‥インターフェース回路、４５７‥‥フロッピー・ディスク・ドライブ、４５８‥‥操作パネル、４５９‥‥ＬＣＤ、４６０‥‥操作キー群、４６０‥‥入力情報判別手段、４６１‥‥読み出し／書き込み制御手段、４６２‥‥表示制御手段、４６３‥‥ファイル管理手段、４６４‥‥タイムコード読み取り手段、４６５‥‥ＶＴＲ制御手段、４６６‥‥計算手段、４６７‥‥判断手段、５００‥‥再生装置、５０１−１〜５０１−ｎ‥‥ビデオ・テープ・カセット、５０１‥‥棚装置、５０２‥‥カセット搬送部、５０３−１〜５０３−ｎ‥‥ＶＴＲ、５０４‥‥セレクタ、５０５‥‥マスターＶＴＲ、５０６‥‥コントローラ、５０７‥‥メモリ、５５０‥‥第２の編集システム、６００‥‥記録媒体
【図１】
0004114675.tif 000002
【図２】
0004114675.tif 000003
【図３】
0004114675.tif 000004
【図４】
0004114675.tif 000005
【図５】
0004114675.tif 000006
【図６】
0004114675.tif 000007
【図７】
0004114675.tif 000008
【図８】
0004114675.tif 000009
【図９】
0004114675.tif 000010
【図１０】
0004114675.tif 000011
【図１１】
0004114675.tif 000012